(57)【特許請求の範囲】
【請求項１】
略水平な着座部と、その後方に連続して立ち上がり、背凭れ部と連接する胴部とを有する形状の椅子の座板構造において、インナーシェルを、それを外覆するアウターシェルに重合状態で嵌着すべく、両シェルの一方に嵌合面側へ複数の係合爪群を突設し且つ他方に該係合爪群に係合する複数の開口を形成するとともに、前記胴部に対応するアウターシェルの嵌合面側の両側部に沿って、背凭れ部を前後傾動可能に連結するための弾性関節具を内装する膨出部を形成し、該膨出部の両側外面に成形金型の抜き方向に延びた係合リブを突設する一方、前記胴部に対応するインナーシェルの嵌合面側の両側部に沿って、前記膨出部を抱持し得る屈曲凹部を形成し、該屈曲凹部の両側内面に成形金型の抜き方向に延びた係合リブを突設し、両シェルの重合状態でインナーシェルの係合リブをアウターシェルの係合リブの後縁に当接してアウターシェルに対するインナーシェルの前方移動を規制してなることを特徴とする椅子の座板構造。
【請求項２】
前記係合爪群及びインナーシェルとアウターシェルの嵌合面側に設ける補強リブの全てを、着座部と胴部とが形成する角度内に設定した成形金型の抜き方向に突設してなる請求項１記載の椅子の座板構造。
【請求項３】
前記アウターシェルの前記係合リブの後方に第２の係合リブを並設し、アウターシェルとインナーシェルの組立時において、アウターシェルの前記係合リブと第２の係合リブ間に前記インナーシェルの前記係合リブを挿入してなる請求項１記載の椅子の座板構造。
【発明の詳細な説明】
【０００１】
【発明の属する技術分野】
本発明は、略水平な着座部と、その後方に連続して立ち上がり、背凭れ部と連接する胴部とを有する形状の椅子の座板構造に係わり、更に詳しくは表面側にクッション体を装着したインナーシェルを、それを外覆するアウターシェルに重合状態で嵌着してなる椅子の座板構造に関する。
【０００２】
【従来の技術】
従来、表面側にクッション体を装着したインナーシェルを、それを外覆するアウターシェルに重合状態で嵌着してなる椅子の座板又は背凭れ板の構造は、各種提供されており、主にアウターシェルとインナーシェルの嵌合が簡単且つ強固になされるように工夫したものである。
【０００３】
この種の背凭れ板又は座板は、合成樹脂で一体成形したアウターシェルとインナーシェルの互いの嵌合面側の一方に開口を形成し、他方に該開口に抜止め係合する係合爪を突設した構造となっている。また、アウターシェルとインナーシェルは比較的大きな成形品であるため、曲げ強度を高めるために多数の補強リブを嵌合面側に縦横に形成している。
【０００４】
しかし、アウターシェルとインナーシェルの嵌合時の位置決めを正確にしないと、開口と係合爪との係合が多数カ所で同時に行えないといった組立工程上の問題や、例え開口と係合爪とが係合したとしてもアウターシェルとインナーシェルとが嵌合面に沿ってずれる恐れがある。また、アウターシェルの両側部に背凭れ部を前後傾動可能に連結する弾性関節具を内装する筒状の膨出部を形成した構造のものにあっては、この膨出部を形成した位置には前述の開口と係合爪による嵌合手段を設けることができないので、この部分の嵌合強度が弱くなり、アウターシェルに対してインナーシェルの側部が外れる方向に容易に変形するといった構造的な問題も内在していた。
【０００５】
特に、略水平な着座部と、その後方に連続して立ち上がり、背凭れ部と連接する胴部とを有する形状の座板にあっては、インナーシェルとアウターシェルも略同様な形状を有するとともに、前記胴部に対応するアウターシェルの両側部に沿って前記膨出部を形成しているので、多数割り金型を採用する等、成形金型の構造が複雑になるばかりでなく、この胴部の両側部に嵌合手段を設けることは更に困難になる。
【０００６】
【発明が解決しようとする課題】
本発明が前述の状況に鑑み、解決しようとするところは、略水平な着座部と、その後方に連続して立ち上がり、背凭れ部と連接する胴部とを有する形状の座板にあって、アウターシェルとインナーシェルを重合状態で嵌着する係合作業において、アウターシェルとインナーシェルの位置決めを容易にするとともに、嵌合状態において横ずれを生じることがなく且つ両側部の嵌合強度が高い椅子の座板構造を提供する点にある。
【０００７】
【課題を解決するための手段】
本発明は、前述の課題解決のために、略水平な着座部と、その後方に連続して立ち上がり、背凭れ部と連接する胴部とを有する形状の椅子の座板構造において、インナーシェルを、それを外覆するアウターシェルに重合状態で嵌着すべく、両シェルの一方に嵌合面側へ複数の係合爪群を突設し且つ他方に該係合爪群に係合する複数の開口を形成するとともに、前記胴部に対応するアウターシェルの嵌合面側の両側部に沿って、背凭れ部を前後傾動可能に連結するための弾性関節具を内装する膨出部を形成し、該膨出部の両側外面に成形金型の抜き方向に延びた係合リブを突設する一方、前記胴部に対応するインナーシェルの嵌合面側の両側部に沿って、前記膨出部を抱持し得る屈曲凹部を形成し、該屈曲凹部の両側内面に成形金型の抜き方向に延びた係合リブを突設し、両シェルの重合状態でインナーシェルの係合リブをアウターシェルの係合リブの後縁に当接してアウターシェルに対するインナーシェルの前方移動を規制してなる椅子の座板構造を構成した。
【０００８】
ここで、前記係合爪群及びインナーシェルとアウターシェルの嵌合面側に設ける補強リブの全てを、着座部と胴部とが形成する角度内に設定した成形金型の抜き方向に突設してなることが好ましい。また、前記アウターシェルの前記係合リブの後方に第２の係合リブを並設し、アウターシェルとインナーシェルの組立時において、アウターシェルの前記係合リブと第２の係合リブ間に前記インナーシェルの前記係合リブを挿入してなることも好ましい。
【０００９】
【発明の実施の形態】
次に添付図面に示した本発明の実施形態に基づき更に詳細に説明する。図１は本発明に係る椅子の全体斜視図を示し、図中Ａは脚部、Ｂは座部、Ｃは背凭れ部をそれぞれ示している。また、図２は座板１を構成するアウターシェル２とインナーシェル３を嵌合する状態を示し、図３はその要部の一部を破断して示した分解斜視図、図４は嵌合状態の要部の断面図を示している。尚、図中４はクッション体である。
【００１０】
本発明に係る椅子は、図１に示すように、脚部Ａで支持した座部Ｂに、その後部両側から上方へ立ち上がった蛇腹で外被された弾性関節具Ｃ１，Ｃ１を介して背凭れ部Ｃを取付けたものである。前記座部Ｂは、前部を中心として後部を上下傾動可能となすべく、前記座板１の下面に取付けられた座傾動機構を内蔵した座受体５を介して脚部Ａに支持されている。また、前記背凭れ部Ｃは、弾性関節具Ｃ１によって前後傾動可能な構造となっている。
【００１１】
そして、本発明に係る座板１は、略水平な着座部１Ａと、その後方に連続して立ち上がり、背凭れ部Ｃと連接する胴部１Ｂとを有する形状のものであり、該座板１を構成するアウターシェル２、インナーシェル３及びクッション体４も同様な形状に成形している。
【００１２】
本発明は、表面側にクッション体４を装着したインナーシェル３を、それを外覆するアウターシェル２に重合状態で嵌着すべく、両シェル２，３の一方に嵌合面側へ複数の係合爪群６，…を突設し且つ他方に該係合爪群６に係合する複数の開口７，…を形成するとともに、前記胴部１Ｂに対応するアウターシェル２の嵌合面側の両側部に沿って、背凭れ部Ｃを前後傾動可能に連結するための弾性関節具Ｃ１を内装する膨出部８，８を形成し、該膨出部８の両側外面に成形金型の抜き方向に延びた係合リブ９，９を突設する一方、前記胴部１Ｂに対応するインナーシェル３の嵌合面側の両側部に沿って、前記膨出部８を抱持し得る屈曲凹部１０，１０を形成し、該屈曲凹部１０の両側内面に成形金型の抜き方向に延びた係合リブ１１，１１を突設し、両シェル２，３の重合状態でインナーシェル３の係合リブ１１をアウターシェル２の係合リブ９の後縁に当接してアウターシェル２に対するインナーシェル３の前方移動を規制してなることを要旨としている。ここで、図２中、矢印Ｐは成形金型の抜き方向を示している。尚、前記屈曲凹部１０によって膨出部８の一部を抱持しても、略全部を抱持しても良く、また前記係合リブ９の後方に第２の係合リブ９Ａを平行に突設し、両シェル２，３の重合状態で前記係合リブ９と第２の係合リブ９Ａとの間に前記係合リブ１１が位置するようにしても良い。
【００１３】
更に詳しくは、前記アウターシェル２は、図４及び図６に示すように、合成樹脂で一体成形されたものであり、シェル構造基板１２の着座部１Ａの上面及び胴部１Ｂの前面に格子状に連続した複数の補強リブ１３，…を突設するとともに、前記係合爪群６，…を周囲に沿って突設し、着座部１Ａの中央部には前記座受体５を取付ける凹所１４を形成し、そして前述の膨出部８，８を胴部１Ｂの両側部に前方へ突出状態で一体成形したものである。ここで、前記膨出部８は、上方に開放した筒状のものであり、この内部には弾性関節具Ｃ１の下部を装着し、該弾性関節具Ｃ１の上部に装着した背凭れ部Ｃを前後傾動可能に支持するためのものである。そして、アウターシェル２の嵌合面側に設けた前記係合爪群６，…、補強リブ１３，…及び係合リブ９，９Ａ等、シェル構造基板１２から突出した全ての部分を、前記着座部１Ａと胴部１Ｂとで張られる角度内、つまり前記着座部１Ａと胴部１Ｂとが形成する角度内に設定した成形金型の抜き方向に配向させ、最小数の金型で成形できるようにしている。
【００１４】
また、前記インナーシェル３は、図７に示すように、合成樹脂で一体成形されたものであり、シェル構造基板１５の周囲に沿って前記係合爪群６，…を受入れて係合する開口７，…を形成し、前記アウターシェル２に重合状態に嵌合した場合に前記アウターシェル２の補強リブ１３，…に裏面を支持されるようになっている。尚、前記インナーシェル３の裏面側にも補強リブを格子状に形成し、該補強リブをアウターシェル２の補強リブ１３，…に当接するようにしても良い。また、前記屈曲凹部１０，１０は、シェル構造基板１５の胴部１Ｂの両側部に凹部が背面側となるように形成している。そして、前記屈曲凹部１０の両側内面に設ける係合リブ１１，１１は、前記着座部１Ａと胴部１Ｂとで張られる角度内に設定した成形金型の抜き方向に配向させている。更に、インナーシェル３のシェル構造基板１５には大小多数の貫通孔１６，…が形成されており、インナーシェル３を発泡成形金型内に配置して、発泡ウレタン製のクッション材を発泡成形すると、シェル構造基板１５の表面側に自動的に接着したクッション材の一部は前記貫通孔１６，…を通してその裏面側に回り込み、アンカー効果によってより強固にインナーシェル３とクッション材が一体化し、そしてそれをクロスやレザー等の表皮シートで外覆してクッション体４を形成するのである。
【００１５】
そして、前記アウターシェル２に、表面側にクッション体４を一体化したインナーシェル３を重ねながら、インナーシェル３の係合リブ１１をアウターシェル２の係合リブ９の後方に挿入し、該係合リブ１１を係合リブ９に沿って摺動案内すると、図２、図７及び図８に示すように、前記各開口７，…がそれぞれ対応する係合爪群６，…を受入れて係合するとともに、胴部１Ｂに対応するアウターシェル２の嵌合面側の両側部に沿って形成した膨出部８，８を、同じく胴部１Ｂに対応するインナーシェル３の嵌合面側の両側部に沿って形成した屈曲凹部１０，１０が抱持するのである。この嵌合状態では、前記両係合リブ９，１１が着座部１Ａと胴部１Ｂとで張られる角度内に設定した成形金型の抜き方向に配向しているので、胴部１Ｂに対応する部分において、アウターシェル２に対するインナーシェル３の前方移動は、係合リブ１１が係合リブ９の後縁に当接するので確実に規制され、また上方移動は、同じく成形金型の抜き方向に配向した係合爪群６，…と開口７，…との係合によって規制されるのである。
【００１６】
また、前記係合リブ９の後方に第２の係合リブ９Ａを並設した場合には、アウターシェル２とインナーシェル３の組立時において、アウターシェル２の両係合リブ９，９Ａ間にインナーシェル３の係合リブ１１を挿入することにより、更に正確にインナーシェル３を案内してアウターシェル２に嵌合することができ、またアウターシェル２に対するインナーシェル３の上方移動は、インナーシェル３の係合リブ１１がアウターシェル２の係合リブ９Ａの前縁に当接することによって規制される。
【００１７】
また、前記膨出部８と屈曲凹部１０の成形金型の抜き方向に直交する断面形状は、図示した実施形態のように四角形に限定されず、湾曲した形状であっても良いが、前記アウターシェル２とインナーシェル３の嵌合状態で少なくとも前記係合リブ９と係合リブ１１の一部が当接するような形状にする必要がある。更に、前記係合リブ９又は係合リブ１１の一方が凹溝であっても良いが、凹溝の場合にはそれを形成する部分の肉厚を充分に確保しなければならないので、本実施形態のように係合リブを突設する方が好ましい。
【００１８】
更に、成形金型の抜き方向に沿った前記膨出部８の前面側の傾斜面８Ａと、屈曲凹部１０の前面側の傾斜面１０Ａとが、アウターシェル２とインナーシェル３の嵌合状態において接合するように寸法設定すれば、アウターシェル２に対するインナーシェル３の上方移動を確実に規制する等によって、更にガタつきない嵌合状態が得られるとともに、嵌合強度を高めることができる。
【００１９】
尚、前記係合爪群６と開口７との嵌合手段は、図示した実施形態に限定されるものではなく、ワンタッチで抜止め嵌合ができる構造であれば適宜採用され得るものである。
【００２０】
【発明の効果】
以上にしてなる本発明の椅子の座板構造によれば、アウターシェルとインナーシェルを重合状態で嵌着する係合作業において、アウターシェルの膨出部に設けた係合リブがインナーシェルの屈曲凹部に設けた係合リブを摺動案内するので、係合爪群と開口とが正確に嵌合するようにアウターシェルとインナーシェルの位置決めを容易にするとともに、嵌合状態においてアウターシェルに対してインナーシェルが上下左右にずれを生じることがなく且つ両側部の嵌合強度を高めることができ、更に胴部においてインナーシェルの側部が引き離される方向に湾曲変形することも規制できる。
【００２１】
また、前記係合爪群及びインナーシェルとアウターシェルの嵌合面側に設ける補強リブの全てを、着座部と胴部とが形成する角度内に設定した成形金型の抜き方向に突設してなることにより、略水平な着座部と、その後方に連続して立ち上がり、背凭れ部と連接する胴部とを有する形状の座板であっても、成形金型の構造が簡単になるとともに、金型の割り数が少なくなってコスト低減に寄与するのである。また、アウターシェルに対するインナーシェルの引き離し力に対しては、成形金型の抜き方向においてのみ唯一嵌合強度が弱いが、通常の使用状態ではこの方向に引き離し力が加わることはなく、実用上において全く問題がない嵌合強度が得られるのである。また、前記アウターシェルの前記係合リブの後方に第２の係合リブを並設し、アウターシェルとインナーシェルの組立時において、アウターシェルの前記係合リブと第２の係合リブ間に前記インナーシェルの前記係合リブを挿入してなることにより、更に正確にインナーシェルを案内してアウターシェルに嵌合することができ、またアウターシェルに対するインナーシェルの上方移動は、インナーシェルの係合リブがアウターシェルの第２の係合リブの前縁に当接することによって規制することができる。
【図面の簡単な説明】
【図１】本発明に係る椅子の全体斜視図である。
【図２】アウターシェルとインナーシェルとを嵌合する状態を示す省略分解断面図である。
【図３】本発明の要部を一部破断して示した分解斜視図である。
【図４】同じく嵌合状態の要部の部分断面図である。
【図５】アウターシェルの破断斜視図である。
【図６】同じくアウターシェルの右半分の平面図である。
【図７】インナーシェルの着座部の部分平面図である。
【図８】アウターシェルとインナーシェルの嵌合状態における係合爪群と開口との関係を示し、（ａ）  は図７のＸ１−Ｘ１線断面図、（ｂ）  は図７のＸ２−Ｘ２線断面図、（ｃ）  は図７のＸ３−Ｘ３線断面図、（ｄ）  は図７のＸ４−Ｘ４線断面図である。
【符号の説明】
Ａ  脚部                  Ｂ  座部
Ｃ  背凭れ部              Ｃ１  弾性関節具
１  座板                  １Ａ  着座部
１Ｂ  胴部                ２  アウターシェル
３  インナーシェル        ４  クッション体
５  座受体                ６  係合爪群
７  開口                  ８  膨出部
８Ａ  傾斜面              ９  係合リブ
９Ａ  第２の係合リブ      １０  屈曲凹部
１０Ａ  傾斜面            １１  係合リブ
１２  シェル構造基板      １３  補強リブ
１４  凹所                １５  シェル構造基板
１６  貫通孔
【図１】
0003572827.tif 000002
【図２】
0003572827.tif 000003
【図３】
0003572827.tif 000004
【図４】
0003572827.tif 000005
【図５】
0003572827.tif 000006
【図６】
0003572827.tif 000007
【図７】
0003572827.tif 000008
【図８】
0003572827.tif 000009